(57)【要約】【課題】弁体をより円滑に作動させることができるとともに、液体の吸引吐出を安定して行うことができる液体用ノズルチップを提供する。【解決手段】液体連通部１６を有する接続部１５を備え、先端部１２に開口部１３が形成されるとともに内部に弁座１４が形成された筒状のチップ本体１１と、チップ本体１１内に配置され、開口部１３より突出するように形成された先端小径部２１と弁座１４を開閉するシール部２２とを有する弁体２０と、チップ本体１１内に配置された弁体２０を常時前方に付勢保持してシール部２２によって弁座１４を閉鎖するとともに、先端小径部２１が後退することによって弁座１４を開放するように構成された板バネ部材３０と、チップ本体１１の先端部１２に突設され、弁体２０の先端小径部２１と摺接して先端小径部２１が直動するように形成されたセンター保持部材４０とを有する。【選択図】図２
2006214803.tif 000002
【特許請求の範囲】
【請求項１】
液体連通部を有する接続部を備え、先端部に開口部が形成されるとともに内部に弁座が形成された筒状のチップ本体と、
前記チップ本体内に配置され、前記開口部より突出するように形成された先端小径部と前記弁座を開閉するシール部とを有する弁体と、
前記チップ本体内に配置された前記弁体を常時前方に付勢保持して前記シール部によって前記弁座を閉鎖するとともに、前記先端小径部が後退することによって前記弁座を開放するように構成された板バネ部材と、
前記チップ本体の先端部に突設され、前記弁体の先端小径部と摺接して前記先端小径部が直動するように形成されたセンター保持部材
とを有することを特徴とする液体用ノズルチップ。
【請求項２】
前記板バネが中心保持部と円弧状のバネ部を有する請求項１に記載の液体用ノズルチップ。
【請求項３】
前記センター保持部材が前記チップ本体の先端部に少なくとも３個の部分突部によって形成されている請求項１又は２に記載の液体用ノズルチップ。
【発明の詳細な説明】
【技術分野】
【０００１】
本発明は、分注装置やピペット等の液体吸引吐出装置のノズル先端部に取り付ける液体用ノズルチップに関する。
【背景技術】
【０００２】
一般に、電動や手動等の適宜の手段で液体の吸引保持あるいは保持した液体の吐出等を行うことができる分注装置やピペット等の液体吸引吐出装置では、液体を吸引吐出するノズル先端部に先鋭な筒状の液体用ノズルチップが着脱自在に取り付けられる（例えば、特許文献１参照。）。このような液体用ノズルチップは、例えば、吸引した液体を自ら保持するように構成して液体吸引吐出装置のノズル部分の汚染を防止したり、該ノズルチップを介してノズル部分の後部あるいは先端に別途設けられた液体保持部に液体を吸引保持し吐出する等、液体吸引吐出装置によって吸引吐出される液体の吸引吐出口として適宜構成される。
【０００３】
ところで、液体吸引吐出装置のノズル先端部に取り付けられる液体用ノズルチップでは、例えば、図７ないし図９に示すような、筒状のチップ本体１０１の先端部１０２に形成された液体を吸引吐出するための開口部１０３が常時閉鎖可能に構成されたノズルチップ１００が知られている。このノズルチップ１００は、図示のように、内部に弁座１０４が形成されたチップ本体１０１の開口部１０３より突出するように形成された先端小径部１１１と前記弁座１０４を開閉するシール部１１２を有する弁体１１０を備えており、チップ本体１０１内に配置されたコイルバネ１２０によって前記弁体１１０を常時前方に付勢保持して前記シール部１１２によって前記弁座１０４を閉鎖する（図７参照）とともに、前記先端小径部１１１が後退することによって前記弁座１０４を開放する（図８参照）ように構成される。図において、符号１０５は吸引吐出装置のノズル先端部Ｎに接続される接続部、１０６は吸引あるいは吐出される液体が流通可能に形成された液体連通部、１１３は弁体１１０の弁本体、１１４は弁体１１０の後端部、１３０は弁座１０４の開放時にチップ本体１０１の姿勢を安定させるための脚部、Ｂは吸引吐出される液体のための容器の底部である。
【０００４】
上記ノズルチップ１００において、液体の吸引あるいは吐出時には、図８に示すように、弁体１１０の先端小径部１１１を容器の底部Ｂに当接させて、チップ本体１０１を前記底部Ｂ方向に押し下げることによって前記弁体１１０をチップ本体１０１内で後退させ、弁座１０４の開放を行う。その際、チップ本体１０１は、先端部１０２に形成された３個の脚部１３０が前記底部Ｂに当接する位置まで押し下げられる。このように弁座１０４を開放させた状態で液体吸引吐出装置を適宜作動させることによって、チップ本体１０１の開口部１０３を介して液体の吸引あるいは吐出が行われる。また、ノズルチップ１００を前記底部Ｂから遠ざけるとにより、前記弁体１１０がコイルバネ１２０の付勢力によって前方に付勢保持されて、弁体１１０のシール部１１２によって弁座１０４が閉鎖されるので、吸引された液体がノズルチップ１００外に漏れ出すことなく常時保持することができる。
【０００５】
しかしながら、従来のノズルチップ１００では、弁体１１０はその後端部１１４がコイルバネ１２０によって支持されるのみであるため、弁体１１０を前後動させる際に弁体１１０が安定せずに傾いたり、コイルバネ１２０に引っかかりが生じて弁体１１０の円滑な作動が困難になる等の動作不良が発生することがある。そして、このような動作不良により、液体の安定した吸引あるいは吐出が妨げられたり、弁体１１０による弁座１０４の閉鎖が不完全になる等の問題があった。
【特許文献１】特開２００３−２５４８７３号公報
【発明の開示】
【発明が解決しようとする課題】
【０００６】
本発明は前記の点に鑑みなされたものであり、弁体をより円滑に作動させることができるとともに、液体の吸引吐出を安定して行うことができる液体用ノズルチップを提供するものである。
【課題を解決するための手段】
【０００７】
すなわち、請求項１の発明は、液体連通部を有する接続部を備え、先端部に開口部が形成されるとともに内部に弁座が形成された筒状のチップ本体と、前記チップ本体内に配置され、前記開口部より突出するように形成された先端小径部と前記弁座を開閉するシール部とを有する弁体と、前記チップ本体内に配置された前記弁体を常時前方に付勢保持して前記シール部によって前記弁座を閉鎖するとともに、前記先端小径部が後退することによって前記弁座を開放するように構成された板バネ部材と、前記チップ本体の先端部に突設され、前記弁体の先端小径部と摺接して前記先端小径部が直動するように形成されたセンター保持部材とを有することを特徴とする液体用ノズルチップに係る。
【０００８】
請求項２の発明は、前記板バネが中心保持部と円弧状のバネ部を有する請求項１に記載の液体用ノズルチップに係る。
【０００９】
請求項３の発明は、前記センター保持部材が前記チップ本体の先端部に少なくとも３個の部分突部によって形成されている請求項１又は２に記載の液体用ノズルチップに係る。
【発明の効果】
【００１０】
請求項１の発明に係る液体用ノズルチップによれば、液体連通部を有する接続部を備え、先端部に開口部が形成されるとともに内部に弁座が形成された筒状のチップ本体と、前記チップ本体内に配置され、前記開口部より突出するように形成された先端小径部と前記弁座を開閉するシール部とを有する弁体と、前記チップ本体内に配置された前記弁体を常時前方に付勢保持して前記シール部によって前記弁座を閉鎖するとともに、前記先端小径部が後退することによって前記弁座を開放するように構成された板バネ部材と、前記チップ本体の先端部に突設され、前記弁体の先端小径部と摺接して前記先端小径部が直動するように形成されたセンター保持部材とを有するため、弁体が前後動する際に傾くことがなく、安定して作動させることができ、動作不良が発生するおそれがない。したがって、弁体を円滑に作動させることが可能で該弁体による弁座の閉鎖を完全に行うことができ、液体の吸引あるいは吐出が妨げられることがなく安定して行うことができる。
【００１１】
請求項２の発明によれば、請求項１において、前記板バネが中心保持部と円弧状のバネ部を有するため、弁体をチップ本体の中心で常時保持することができ、前記弁体をより安定して付勢保持することができる。
【００１２】
請求項３の発明によれば、請求項１又は２において、前記センター保持部材が前記チップ本体の先端部に少なくとも３個の部分突部によって形成されているため、弁体の先端小径部をチップ本体の中心位置で確実に保持するとともに直動させることができ、前記弁体の作動時の安定性をより向上させることができる。
【発明を実施するための最良の形態】
【００１３】
以下添付の図面に従ってこの発明を詳細に説明する。
図１は本発明の一実施例に係る液体用ノズルチップをノズル先端部に取り付けた正面図、図２は同ノズルチップの断面図、図３は同ノズルチップの弁座開放時の断面図、図４は同ノズルチップの板バネ部材の上面図、図５は同ノズルチップの先端部側の上面図、図６は他の実施例に係る液体用ノズルチップの断面図である。
【００１４】
図１に示すように、本発明の一実施例に係る液体用ノズルチップ１０は、分注装置やピペット等の適宜の液体吸引吐出装置におけるノズル先端部Ｎに取り付けられ、液体吸引吐出装置の作動に応じて、適宜の液体を吸引保持または保持した液体を吐出するものである。実施例では、吸引される液体はノズルチップ１０を介してノズル先端部Ｎの後部に設けられた液体保持部Ｋで保持され、適宜液体吸引吐出装置を作動させて前記液体保持部Ｋからノズルチップ１０を介して吐出される。
【００１５】
このノズルチップ１０は、図２ないし図５に示すように、チップ本体１１と、弁体２０と、板バネ部材３０と、センター保持部材４０とを有する。また、このノズルチップ１０は、ポリプロピレンやポリエチレン等の公知の樹脂材料によって成形されている。図において、符号Ｂは吸引吐出される液体のための容器の底部を表す。
【００１６】
チップ本体１１は、吸引あるいは吐出される液体が流通可能な液体連通部１６を有する接続部１５を備え、先端部１２に開口部１３が形成されるとともに内部に弁座１４が形成された筒状の部材である。チップ本体１１の接続部１５は、液体吸引吐出装置のノズル先端部Ｎに着脱自在に取付けられるものであって、図示のように、テーパ状に形成された内壁部分で前記ノズル先端部Ｎに固定される。
【００１７】
弁体２０は、チップ本体１１内に配置され、前記開口部１３より突出するように形成された先端小径部２１と前記弁座１４を開閉するシール部２２とを有する。該弁体２０の先端小径部２１は、図示のように、チップ本体１５の開口部１３よりも小径とされ、前記開口部１３との間に液体が通過可能な隙間が形成されるように構成される。また、シール部２２は、先端小径部２１に向かって傾斜するテーパ部２２ａが形成され、該テーパ部２２ａの一部が前記弁座１４に着座可能に構成されている。図において、符号２３は弁本体、２４は弁体後端部である。なお、この弁体２０は、特に、公知の樹脂材料の中でも硬質の材料によって形成される。
【００１８】
板バネ部材３０は、チップ本体１１内に配置された弁体２０を常時前方に付勢保持して前記シール部２２によって前記弁座１４を閉鎖する（図２参照）とともに、前記先端小径部２１が後退することによって前記弁座１４を開放する（図３参照）ように構成される。この板バネ部材３０は、図示のように、弁体２０の後端部２４と係合するとともに、チップ本体１１の接続部１５によって前記チップ本体１１に固定されている。また、バネ板部材３０では、液体が流通可能に形成された液体連通部１６をふさがないように連通開口部３３が形成されている。
【００１９】
実施例の板バネ部材３０は、図４に図示しかつ請求項２の発明として規定したように、中心保持部３１と円弧状のバネ部３２，３２を有する。図示のように、板バネ部材３０では、中心保持部３１がチップ本体１１の中心位置に配置されるように円弧状のバネ部３２，３２と一体に形成され、弁体後端部２４が前記中心保持部３１に係合することによって弁体２０をチップ本体１１の中心に保持するように構成される。これにより、弁体２０をチップ本体１１の中心で常時保持することができ、前記弁体２０をより安定して付勢保持することができる。
【００２０】
センター保持部材４０は、チップ本体１１の先端部１２に突設され、弁体２０の先端小径部２１と摺接して前記先端小径部２１が直動するように形成されている。該センター保持部材４０は、弁座１４の閉鎖時（図２参照）において、チップ本体１１から突出した先端小径部２１が内接するように形成され、弁体２０が後退した弁座１４の開放時（図３参照）には、容器の底部Ｂに当接してチップ本体１１の姿勢を安定させるための脚部としても作用する。
【００２１】
実施例のセンター保持部材４０は、図５に図示しかつ請求項３の発明として規定したように、チップ本体１１の先端部１２に３個の部分突部４１，４１，４１によって形成されていて、前記部分突部４１，４１，４１はそれぞれ約１２０°の間隔に配設されている。このように構成することにより、弁体２０の先端小径部２１をチップ本体１１の中心位置で確実に保持するとともに直動させることができ、前記弁体２０の作動時の安定性をより向上させることができる。なお、前記部分突部４１は、少なくとも３個形成されていればよく、それ以上であっても構わない。
【００２２】
上記の如く構成された液体用ノズルチップ１０の使用例について説明する。まず、ノズルチップ１０のチップ本体１１の接続部１５に適宜の液体吸引吐出装置のノズル先端部Ｎが取り付けられた後、吸引する液体が入った適宜の容器に対して略垂直に下降させてノズルチップ１０の先端小径部２１を容器底部Ｂに当接させる。
【００２３】
続いて、先端小径部２１が容器底部Ｂに当接した状態からノズルチップ１０をさらに押し下げることによって、チップ本体１１内で弁体２０が板バネ部材３０の付勢力に抗して後退し、前記チップ本体１１の弁座１４が開放される（図３参照）。この時、弁体２０は、先端小径部２１がセンター保持部材４０に摺接し、弁体後端部２４が板バネ部材３０に保持されているため、傾くことなく直動して後退するように構成される。また、チップ本体１１は、先端部１２に形成されたセンター保持部材４０が容器底部Ｂに当接する位置まで押し下げられ、前記センター保持部材４０が当該弁座開放時のチップ本体１１の姿勢を安定させる脚部としても作用することにより、前記弁座１４の開放状態が確実に維持される。
【００２４】
上記の如く弁座１４が開放されると、液体吸引吐出装置を適宜作動させて、チップ本体１１の開口部１３を介して所定の液量が吸引され、ノズル先端部Ｎの後部に設けられた液体保持部Ｋに所定量の液体が保持される。液体の吸引が完了した後、ノズルチップ１０は略垂直に上昇されて、前記先端小径部２１が容器底部Ｂから遠ざけられる。その際、弁体２０は、板バネ部材３０の付勢力によって後退状態から前進して付勢保持され、前記弁体２０のシール部２２によって弁座１４を閉鎖するので（図２参照）、吸引された所定量の液体がノズルチップ１０外に漏れ出すことなく常時保持することができる。なお、前述のように、先端小径部２１がセンター保持部材４０に摺接し、弁体後端部２４が板バネ部材３０に保持されているため、弁体２０が傾くことなく直動して前進するのはいうまでもない。
【００２５】
また、前記液体保持部Ｋに保持した液体を吐出する場合は、前述の弁座１４を開放する手順に従って前記弁座１４が開放され、液体吸引吐出装置を適宜作動させて所定の液量が吐出され、液体の吐出が完了した後、前述の弁座１４を閉鎖する手順に従って前記前座１４が閉鎖される。
【００２６】
以上説明したように、この発明に係る液体用ノズルチップ１０では、弁体２０が前後動する際に傾くことがなく、安定して作動させることができ、動作不良が発生するおそれがない。したがって、弁体２０を円滑に作動させることが可能で該弁体２０による弁座１４の閉鎖を完全に行うことができ、液体の吸引あるいは吐出が妨げられることがなく安定して行うことができる。
【００２７】
なお、本発明の液体用ノズルチップは、上記実施例で述べた構成に限るものではなく、発明の趣旨を逸脱しない範囲内において種々の変更を付加して実施することができる。例えば、実施例では、弁体２０のシール部２２がテーパ部２２ａによって形成されていたが、図６に示すように、エラストマー２２ｂをシール部として形成し、チップ本体１１の弁座１４を開閉するように構成する等、前記弁座１４を開閉可能な適宜の構成とすることができる。
【００２８】
また、実施例では、吸引した液体をノズル先端部Ｎの後部に設けられた液体保持部Ｋによって保持するように構成したが、この例に限定されるものではなく、ノズル先端部Ｎに別途液体保持部を設けて液体を保持可能に構成したり、ノズルチップ１０内で液体を保持するように構成してもよい。
【００２９】
さらに、前述の実施例では、ノズルチップを公知の樹脂材料によって成形したが、金属によって成形する等、用途に応じて適宜の材料で成形してもよい。
【００３０】
各部の大きさや形状等についても図示の実施例のみに限定されるものではなく、適宜のものとすることができるのはいうまでもない。
【図面の簡単な説明】
【００３１】
【図１】本発明の一実施例に係るノズルチップをノズル先端部に取り付けた正面図である。
【図２】同ノズルチップの断面図である。
【図３】同ノズルチップの弁座開放時の断面図である。
【図４】同ノズルチップの板バネ部材の上面図である。
【図５】同ノズルチップの先端部側の上面図である。
【図６】他の実施例に係る液体用ノズルチップの断面図である。
【図７】従来の液体用ノズルチップの断面図である。
【図８】同ノズルチップの弁座開放時の断面図である。
【図９】同ノズルチップの先端部側の上面図である。
【符号の説明】
【００３２】
１０  液体用ノズルチップ
１１  チップ本体
１２  先端部
１３  開口部
１４  弁座
１５  接続部
１６  液体連通部
２０  弁体
２１  先端小径部
２２  シール部
２３  弁本体
２４  弁体後端部
３０  板バネ部材
３１  中心保持部
３２  円弧状のバネ部
３３  連通開口部
４０  センター保持部材
４１  部分突部
Ｂ    容器の底部
Ｋ    液体保持部
Ｎ    ノズル先端部
【図１】
2006214803.tif 000003
【図２】
2006214803.tif 000004
【図３】
2006214803.tif 000005
【図４】
2006214803.tif 000006
【図５】
2006214803.tif 000007
【図６】
2006214803.tif 000008
【図７】
2006214803.tif 000009
【図８】
2006214803.tif 000010
【図９】
2006214803.tif 000011